(57)【特許請求の範囲】
【請求項１】
機構板の裏面に配設され、球タンクからのパチンコ球を整列して球払出装置に導く供給通路を仕切壁により複数形成すると共に、側壁を膨出して供給通路に徐々に合流する補助通路を併設した球誘導樋を設けたパチンコ遊技機において、
前記球誘導樋の供給通路と補助通路の通路幅が狭まる部分の仕切壁に球逃し部を設けたことを特徴とするパチンコ遊技機。
【請求項２】
機構板の裏面に配設され、球タンクからのパチンコ球を整列して球払出装置に導く供給通路を底壁と前側壁とにより形成し、該前側壁を膨出して供給通路に徐々に合流する補助通路を併設した球誘導樋を設けたパチンコ遊技機において、
前記球誘導樋を機構板に取付けた状態で、該供給通路と補助通路の通路幅が狭まる部分の機構板に球逃し部を設けたことを特徴とするパチンコ遊技機。
【発明の詳細な説明】
【０００１】
【発明の属する技術分野】
本発明は、機構板の裏面に補助通路を有する球誘導樋が配設されたパチンコ遊技機に関するものである。
【０００２】
【従来の技術】
従来のパチンコ遊技機は、パチンコ球が整列して並ぶ供給通路の上流側の前側壁を膨出して、該供給通路に徐々に合流する補助通路を形成した球誘導樋を配設していた。
【０００３】
【発明が解決しようとする課題】
しかしながら、従来のパチンコ遊技機にあっては、球誘導樋の補助通路の傾斜が供給通路と同じ傾斜方向であるため、補助通路と供給通路の通路幅がパチンコ球が平行に並ぶ付近で球圧等の関係により球詰りを起し、確実に球払出装置にパチンコ球を供給できなくなるという問題があり、合流の仕方に苦労していた。
【０００４】
そこで本発明は、補助通路のパチンコ球を球詰りすることなく供給通路に合流するようにして、球誘導樋のパチンコ球を確実に球払出装置に供給することができるパチンコ遊技機を提供することを目的としている。
【０００５】
【課題を解決するための手段】
上記目的を達成するために、本発明に係るパチンコ遊技機は、機構板の裏面に配設され、球タンクからのパチンコ球を整列して球払出装置に導く供給通路を底壁と側壁により形成し、該側壁を膨出して供給通路に徐々に合流する補助通路を併設した球誘導樋を設けたパチンコ遊技機において、前記球誘導樋の供給通路と補助通路の通路幅が狭まる部分の側壁に球逃し部を設けたことを特徴とする。
【０００６】
前記球逃し部は側壁を凹窪して設けるのが好ましく、補助通路側のパチンコ球にかかる球圧を逃すようにした。
【０００７】
前記球逃し部は、補助通路の終端をパチンコ球の半球程度の細幅通路とし、補助通路のパチンコ球を一気に供給通路に合流させることなく、供給通路のパチンコ球に関わり合いながら徐々に合流させるのがよい。
【０００８】
また、機構板の裏面に配設され、球タンクからのパチンコ球を整列して球払出装置に導く供給通路を仕切壁により複数形成すると共に、側壁を膨出して供給通路に徐々に合流する補助通路を併設した球誘導樋を設けたパチンコ遊技機において、前記球誘導樋の供給通路と補助通路の通路幅が狭まる部分の仕切壁に球逃し部を設けたことを特徴とし、具体的には該球逃し部を切欠して設けるようにするのがよい。そして、隣合う供給通路側にパチンコ球を逃すようにして瞬時に球圧を逃すようにするのがよい。
【０００９】
また、機構板の裏面に配設され、球タンクからのパチンコ球を整列して球払出装置に導く供給通路を底壁と前側壁とにより形成し、該前側壁を膨出して供給通路に徐々に合流する補助通路を併設した球誘導樋を設けたパチンコ遊技機において、前記球誘導樋を機構板に取付けた状態で、該供給通路と補助通路の通路幅が狭まる部分の機構板に球逃し部を設け、球詰りしそうになる球圧を該球逃し部で吸収するようにして、球詰りを未然に防ぐようにした。
【００１０】
前記球逃し部は、複数設けるのが好ましく、球逃し部により球圧を逃しては供給通路と補助通路の通路幅を狭め、また球逃し部で球圧を逃しては通路幅を狭めるように段階的に狭めるようにすれば一層効果的である。
【００１１】
また、前記球逃し部は供給通路と補助通路の通路幅が、パチンコ球のほぼ２個程度の場所に設けるのが好ましい。
【００１２】
【発明の実施の形態】
以下に本発明を図面を参照して説明する。図１は本発明に係るパチンコ遊技機の裏面図である。図において、１はパチンコ遊技機の前面枠、２は前面枠１の後面に着脱自在に取付けられる遊技盤であって、該遊技盤２の裏面には入賞球集合カバー３が配設されており、該入賞球集合カバー３の裏面に基板ボックス４が装着されている。該基板ボックス４にはパチンコ遊技機の遊技内容を制御するための回路基板が収納されている。
【００１３】
５は遊技盤２の裏面に装着される機構板であり、該機構板５は合成樹脂によりほぼ方形状に形成され、そのほぼ中央には前記基板ボックス４および遊技盤２に設けられる可変表示装置６の後部を臨ませるための窓部７が開設されている。該窓部７の上方にパチンコ球を貯留する球タンク８が取付けられ、該球タンク８の下方にはパチンコ球を整列して導き出す球誘導樋９が設けられる。また、該球誘導樋９の下流端は、屈曲誘導樋１０を介して所定数のパチンコ球を払出す球払出装置１１に接続されており、該球払出装置１１の下方には、払出されたパチンコ球を前面枠１の前面の打球供給皿（図示せず）へ導くための排出樋１２が形成される。また、窓部７の下方には入賞球集合部１３に集められた入賞球を１個ずつ排出処理する入賞球排出処理装置１４が設けられている。
【００１４】
前記球タンク８は、上面が開口する平面略長方形の箱状に形成され、底壁１５はほぼ平坦面であり、図２に示すように一側壁に向って緩やかに下傾している。そして、底壁１５の下流端部であり、かつ球誘導樋９の上流端部分に対応して、長方形状の球落下口１６が開設される。
【００１５】
前記球誘導樋９は、図２ないし図４に示すように、機構板５に接する後側壁１８と、該後側壁１８に対向する前側壁１９および底壁２０とにより、パチンコ球を整列して導く供給通路２１が断面凹状に形成されており、該供給通路２１にパチンコ球一個以上の段差を介して前側壁１９を膨出して補助通路２２が併設されている。
【００１６】
しかして、前記球誘導樋９は、図３に示すように補助通路２２が供給通路２１に徐々に合流して、供給通路２１と補助通路２２の通路幅が、パチンコ球がほぼ２個並ぶ幅部分の前側壁１９にパチンコ球２個分程度の長さの球逃し部２３を設けている。該球逃し部２３は、前側壁１９を鋸刃状に２〜３ｍｍ程度凹窪して形成しており、パチンコ球が詰りそうになる寸前に通路幅を広げて球圧を瞬時に逃し、球詰りしないようにすぐに合流するようにしている。
【００１７】
上記のように構成される球誘導樋９は、図２および図４に示すようにパチンコ球が貯留される球タンク８の下方に、後側壁１８を機構板５に当てがって、ビス止め等の適宜手段によってパチンコ球が自然流下するように傾斜して取付けられる。そして、球タンク８に貯留されるパチンコ球は、底壁１５の傾斜によって球落下口１６から球誘導樋９に流出して、供給通路２１，補助通路２２に並び、屈曲誘導樋１０を介して球払出装置１１に供給される。
【００１８】
そして、球払出装置１１が作動してパチンコ球が排出樋１２に払出されると、供給通路２１のパチンコ球が流下し、同時に補助通路２２のパチンコ球が動き、前側壁１９により徐々に供給通路２１に合流しようとする。そして、パチンコ球がほぼ２個並ぶ付近で、例えば図５矢印のように球圧がかかり前後側壁１８，１９間にパチンコ球が球詰りしそうになっても、図５および図６鎖線に示すように前側壁１９側のパチンコ球が球逃し部２３に逃げて瞬時に球圧を逃し、球詰りしそうなバランスが崩れて、供給通路２１に無理なく合流することができ、パチンコ球を確実に球払出装置１１に供給することができる。
【００１９】
また、図７および図８は球逃し部２３を補助通路２２の通路幅が狭まる部分の終端の側壁を一気に合流させることなく、供給通路２１のパチンコ球と関わりをもつパチンコ球の半球程度の細幅通路としている。この実施の形態において、球逃し部２３はパチンコ球の球心を支持する約６ｍｍの幅を有すると共に、その通路幅をパチンコ球２球分程度の長さを有している。そして、補助通路２２が供給通路２１に徐々に合流しようとして通路幅が狭くなり、図７のように供給通路２１に強引に合流しようとして球圧がかかり前後側壁１８，１９間にパチンコ球が球詰りしそうになっても、球逃し部２３によってパチンコ球が一気に合流しようとせず、球詰りしそうな球圧を図８に示すように一旦球逃し部２３に逃して、球逃し部２３の側壁の緩傾斜により補助通路２２のパチンコ球を球詰りすることなく供給通路２１に合流させることができる。なお、該球逃し部２３は、パチンコ球の半球程度の細幅通路を緩やかな傾斜壁により供給通路２１に合流させるようにしてもよい。
【００２０】
また、該球逃し部２３を図９に示すように前側壁１９を鋸刃状に凹窪して形成した前記実施の形態の球逃し部２３と併用してもよく、このように球逃し部２３を複数設けることにより、球詰まりすることなく確実に補助通路２２のパチンコ球を合流させることができる。このとき下流側の球逃し部２３は、パチンコ球の球心を支持しない４ｍｍ程度としている。
【００２１】
さらに、図１０に示すように補助通路２２の上流側をパチンコ球がランダムに並列可能なパチンコ球約２個程度分の通路幅とすると共に、前記球落下口１６の開口幅もそれに伴い幅広とし、補助通路２２の合流部に球逃し部２３を設けるようにして該補助通路２２を段階的に供給通路２１に合流させるようにしてもよい。このようにすることで、球タンク８の球落下口１６での球詰まりの心配も解消して、球払出装置１１にパチンコ球を整列した状態で確実に供給することができる。
【００２２】
また、図７ないし図１０に示す補助通路２２の合流部に位置する球逃し部２３を、供給通路２１の傾斜角度と異ならして、合流の際の流勢に変化をつけることで合流しやすくしてもよく、例えば図１１に示すように供給通路２１の傾斜角度が４°に対して球逃し部２３の補助通路２２を水平状態に近い１°にすればよい。なお、この傾斜角度は同じ傾斜方向に限定されることなく、水平状態の０°または緩やかな逆傾斜としてもよい。
【００２３】
次に図１２および図１３は、球逃し部２３を後側壁１８に設けるようにした実施の形態を示している。該球逃し部２３は、補助通路２２の高さ位置より上方に位置する後側壁１８を楔形に凹欠して形成され、補助通路２２が供給通路２１に徐々に合流しようとして通路幅が狭くなり、図１２矢印のように球圧がかかり前後側壁１８，１９間にパチンコ球が球詰りしそうになっても、図１２および図１３鎖線に示すように球逃し部２３に供給通路２１のパチンコ球が瞬時に逃げ、球詰りしそうな球圧を逃して、補助通路のパチンコ球を球詰りすることなく供給通路２１に合流させることができる。
【００２４】
また、球逃し部２３は、図１４および図１５に示すように機構板５に直接形成してもよく、このとき球誘導樋９は底壁２０と前側壁１９とにより逆Ｌ字型に形成され、球誘導樋９を機構板５に取付けた状態で供給通路２１を凹状に形成している。球逃し部２３は、図１５に示すように補助通路２２の高さ位置より上方位置を凹窪して形成され、図１４に示すように補助通路２２が供給通路２１に徐々に合流しようとして、機構板５と前側壁１９間にパチンコ球が球圧により球詰りしそうになっても、図１４および図１５鎖線に示すように球逃し部２３に供給通路２１のパチンコ球が逃げて瞬時に球圧を逃して供給通路２１を球詰りすることなく流下する。
【００２５】
図１６ないし図１９は供給通路２１を複数設けた実施の形態を示し、底壁２０から突設した仕切壁２４によって複数の供給通路２１ａ，２１ｂを形成している。該仕切壁２４は、図１６に示すように供給通路２１ａ，２１ｂの互いのパチンコ球が干渉しないような高さ、具体的には球落下口１６に対応する部分を除いてパチンコ球３個の球心を支持する高さを有している。そして、供給通路２１ａと補助通路２２との幅がパチンコ球のほぼ２個程度になる位置の仕切壁２４に、球逃し部２３を設けている。該球逃し２３は、図１９に示すようにパチンコ球２〜３個分の長さを、補助通路２２の高さ位置まで切欠きして形成している。
【００２６】
上記のように構成される球誘導樋９は、球払出装置１１が作動して供給通路２１ａ，２１ｂのパチンコ球が流下し、補助通路２２のパチンコ球が供給通路２１ａに合流しようとして、図１８矢印のように球圧がかかり前側壁１９と仕切壁２４で球詰りしそうになっても、同図鎖線および図１９に示すように球逃し部２３にパチンコ球が移動して瞬時に球圧を逃し、バランスを崩して補助通路２２のパチンコ球が球詰りを起すことなく供給通路２１ａに合流することができる。また、さらに球圧が掛かったとしても、図１９鎖線に示すように球逃し部２３から仕切壁２４を越えて隣合う供給通路２１ｂに逃すことができるので、確実に球払出装置１１に供給することができる。
【００２７】
なお、上記した実施の形態では側壁の一個所に球逃し部２３を設けるようにしたが、球逃し部２３を複数設けるようにして、該球逃し部２３により球圧を逃しては供給通路２１と補助通路２２の通路幅を狭め、また球逃し部２３で球圧を逃しては通路幅を狭めるように段階的に狭めるようにすれば一層効果的である。
【００２８】
【発明の効果】
以上、説明したところから明らかなように、本発明においては、球誘導樋の供給通路と補助通路が徐々に合流する部分に球逃し部を設けたので、パチンコ球が球詰りを起しそうになっても、球逃し部により瞬時に球圧を逃してバランスを崩し、補助通路のパチンコ球を供給通路に無理なく合流させることができ、ひしめき合って球噛みが起きるような事態を解消してパチンコ球をスムーズに流下させることができ、確実に球払出装置に供給することができる。
【図面の簡単な説明】
【図１】パチンコ遊技機の裏面図である。
【図２】球誘導樋部分の正面断面図である。
【図３】機構板に取付けた状態の球誘導樋の平面図である。
【図４】図３の側断面図である。
【図５】球逃し部部分の拡大平面図である。
【図６】要部拡大側断面図である。
【図７】他の実施の形態の球逃し部部分の拡大平面図である。
【図８】図７の側断面図である。
【図９】球逃し部を複数設けた実施の形態の拡大平面図である。
【図１０】他の実施の形態の球誘導樋の平面図である。
【図１１】他の実施の形態の補助通路部分の要部正面断面図である。
【図１２】他の実施の形態の球逃し部部分の拡大平面図である。
【図１３】図１２の側断面図である。
【図１４】他の実施の形態の球逃し部部分の拡大平面図である。
【図１５】図１４の側断面図である。
【図１６】他の実施の形態の球誘導樋部分の正面断面図である。
【図１７】図１６の球誘導樋の平面図である。
【図１８】図１７の側断面図である。
【図１９】球逃し部部分の拡大平面図である。
【符号の説明】
５                          機構板
８                          球タンク
９                          球誘導樋
１１                        球払出装置
１８                        後側壁
１９                        前側壁
２０                        底壁
２１，２１ａ，２１ｂ        供給通路
２２                        補助通路
２３                        球逃し部
２４                        仕切壁
【図１】
0004445628.tif 000002
【図２】
0004445628.tif 000003
【図３】
0004445628.tif 000004
【図４】
0004445628.tif 000005
【図５】
0004445628.tif 000006
【図６】
0004445628.tif 000007
【図７】
0004445628.tif 000008
【図８】
0004445628.tif 000009
【図９】
0004445628.tif 000010
【図１０】
0004445628.tif 000011
【図１１】
0004445628.tif 000012
【図１２】
0004445628.tif 000013
【図１３】
0004445628.tif 000014
【図１４】
0004445628.tif 000015
【図１５】
0004445628.tif 000016
【図１６】
0004445628.tif 000017
【図１７】
0004445628.tif 000018
【図１８】
0004445628.tif 000019
【図１９】
0004445628.tif 000020